(57)【特許請求の範囲】
【請求項１】
グリップ筐体と、
上記グリップ筐体の一端側で支持されているマイクロホンユニットと、
を備え、
上記グリップ筐体における上記マイクロホンユニットの背面側は空気室となっており、
上記空気室は、弾力性を有する複数の粒子で埋められ、
上記複数の粒子の表面同士が融着されていて、
上記複数の粒子の表面と上記グリップ筐体の内周面とが融着されていて、
上記複数の粒子同士と上記グリップ筐体とが隙間を設けながら機械的に結合されていて、
上記グリップ筐体の対向する内周面間が上記複数の粒子によって固定されている、
ことを特徴とするマイクロホン。
【請求項２】
複数の粒子は、高分子制振材料からなる請求項１に記載のマイクロホン。
【請求項３】
複数の粒子は、絶縁体からなる請求項１または２に記載のマイクロホン。
【請求項４】
弾力性を有する複数の粒子が、グリップ筐体に埋められる工程と、
溶剤を上記グリップ筐体に供給して、上記複数の粒子の表面同士および、上記粒子と上
記グリップ筐体とを機械的に結合して、上記グリップ筐体の対向する内周面間を上記複数の粒子によって固定する工程と、
上記溶剤を乾燥させる工程を含むことを特徴とするマイクロホンの製造方法。
【発明の詳細な説明】
【技術分野】
【０００１】
本発明はマイクロホンに関し、詳しくは、マイクロホンユニットの音響回路の一部に含まれるグリップ筐体内の防振に関するものである。
【背景技術】
【０００２】
特許文献１に記載されているように、マイクロホンの周波数特性を決める要因のひとつに空気室がある。周波数特性を広い範囲にわたり改善するため、マイクロホンユニットの後部に空気室が設けられている。また、低音域まで良好な音響特性を得るためには、上記空気室の容量を大きくしてその音響容量によるリアクタンスを低くする必要がある。ボーカル用などの手持ちマイクロホンにおいては、通常、円筒状に形成されたグリップ筐体２内に空気室が設けられる。その一例を図２、図３により説明する。
【０００３】
手持ち式のダイナミックマイクロホン１５は、ダイカストで円筒状に形成されたグリップ筐体２を備えている。グリップ筐体２の一端側でマイクロホンユニット３が支持されている。図示しないが、マイクロホンユニット３内にはボイスコイルが取り付けられた振動板と磁気ギャップを有する磁気発生回路とが含まれており、その磁気ギャップ内にボイスコイルが振動板を介して振動可能に配置されている。マイクロホンユニット３はその後端側が連結部１２内に気密的に差し込まれた状態で連結部１２を介してグリップ筐体２の一端側に取り付けられる。
【０００４】
グリップ筐体２の他端側にはコネクタ取り付け部が一体に形成されており、コネクタ取り付け部内にコネクタ４が装着されている。マイクロホンユニット３とコネクタ４はリード線８によって接続されている。グリップ筐体２内は空洞で、マイクロホンユニット３の後部空気室１０として作用する。
【０００５】
低域の音質を改善するには空気室１０の容積は大きい方が好ましい。また、良好な指向性を得るには外部から空気室１０内に空気が入り込まないようにする必要がある。そのため、マイクロホンユニット３とコネクタ４とをリード線８によって接続したのち、ダイナミックマイクロホン１５ではグリップ筐体２とコネクタ４をグリップ筐体２内に例えばシリコンシーラントなどの封止材６にてコネクタ４側を封止し、空気室１０を気密構造にしている。
【０００６】
グリップ筐体２は、金属、樹脂などで作成されており、グリップ筐体２と部品の間に隙間があることから、グリップ筐体２に振動や衝撃を加えるとグリップ筐体２が共振して不快な雑音を発生する。とりわけ手持ちマイクロホンでは、グリップ筐体２（グリップ）を手で持つことからグリップ筐体２の振動が大きな課題となる。従来ではこの振動の対策として、図２に示すように、グリップ筐体２の内周面にゴム５などの制振材料を貼り付け、あるいは、図３に示すように、スポンジ１４をグリップ筐体２の内部に押し込むなどして振動を防止していた。しかしながら、これらの方法では、振動の吸収が不十分で、マイクロホン１の雑音防止効果も不十分であった。図３のようにスポンジ１４などでグリップ筐体２の空気室１０を埋めてしまうと、マイクロホン１の周波数特性が劣化するという問題もある。
【先行技術文献】
【特許文献】
【０００７】
【特許文献１】特開２００５−２７７６５２号公報
【発明の概要】
【発明が解決しようとする課題】
【０００８】
本発明は、グリップ筐体に振動や衝撃が加えられた場合に生ずる不快な雑音の発生を防止し、スポンジなどで空気室を塞いでしまうことによって振動を防止するとともに、振動を防止することによってマイクロホンユニットの周波数特性が劣化するようなことのないマイクロホンを提供することを目的とする。
【課題を解決するための手段】
【０００９】
本発明に係るマイクロホンは、グリップ筐体と、グリップ筐体の一端側で支持されているマイクロホンユニットと、を備え、グリップ筐体におけるマイクロホンユニットの背面側は空気室となっており、空気室には、弾力性を有する複数の粒子で埋められ、複数の粒子の表面同士が融着されていて、複数の粒子の表面とグリップ筐体の内周面とが融着されていて、複数の粒子同士とグリップ筐体とが隙間を設けながら機械的に結合されていて、グリップ筐体の対向する内周面間が複数の粒子によって固定されていることを最も主要な特徴とする。
【発明の効果】
【００１０】
本発明によれば、弾力性を有する複数の粒子で埋められ、複数の粒子同士と、粒子とグリップ筐体とが隙間を設けながら機械的に結合していることにより、グリップ筐体に振動や衝撃を加えられた場合に生ずる不快な雑音の発生を防止することができる。また、空気室に複数の粒子同士と、粒子とグリップ筐体との間に隙間が生じていることから、空気室を複数の粒子で埋めることによって振動を防止するにもかかわらず、マイクロホンユニットの周波数特性が劣化することのないマイクロホンを得ることができる。
【図面の簡単な説明】
【００１１】
【図１】本発明に係るマイクロホンの実施例を示す縦断面図である。
【図２】従来のマイクロホンの例を示す縦断面図である。
【図３】従来のマイクロホンの他の例を示す縦断面図である。
【発明を実施するための形態】
【００１２】
以下、本発明に係るマイクロホンの実施例について図面を参照しながら説明する。なお、本発明は以下に説明する実施例の構成に限定されるものではない。また、図２、図３に示した従来のマイクロホンと同様の構成である部材については同様の符号を付した。
【００１３】
図１において、マイクロホン１は、円筒状のグリップ筐体２と、グリップ筐体２の一端側（図１において上端側）で背面側が支持されているマイクロホンユニット３と、グリップ筐体２のマイクロホンユニット３の支持部とは逆端側に装着され、マイクロホンユニット３と電気的に接続されているコネクタ４から構成されている。なお、コネクタ４を備えていることは本発明に必須の構成ではなく、マイクロホン１の外部との接続方法は適宜のものを選択することができる。
【００１４】
マイクロホンユニット３とコネクタ４とをリード線８によって接続したのち、グリップ筐体２とコネクタ４との隙間を例えばシリコンシーラントなどの封止材６にて埋めることによりグリップ筐体２のコネクタ４側を封止し、空気室１０を気密構造にしている。この密閉された空洞の内部がマイクロホンユニット３の音響回路の一部として含まれる空気室１０として利用される。
【００１５】
空気室１０は、高分子制振材料からなる複数の粒子１３で埋められている。さらに複数の粒子１３同士と、粒子１３とグリップ筐体２とが、それぞれの間に隙間を設けながら、粒子１３の表面が融着することによって機械的に結合している。複数の粒子１３の形状は、ペレット状であり、円筒状の空気室１０に埋められると、図１に示すように、粒子１３相互間に隙間を作ることになる。複数の粒子１３の材質としては適宜のものを選択でき、例えば三菱ガス化学工業株式会社製のネオフェード（登録商標）のように、有機物質に加え金属などの無機物質をさらに含有するものをペレットとして用いることができる。このような弾力性を有する制振材料を選択することによりグリップ筐体２の振動をさらに防止することが可能である。また、複数の粒子１３は、絶縁性の有機材料で形成することができる。そのことにより、本発明に係るマイクロホン１は、回路を有する部分などにこの複数の粒子１３を用いながら漏電を気にすることなく制振することができる。また、複数の粒子１３に用いる制振材料としては、いわゆる一般的な有機材料であるポリエチレンやポリプロピレンを用いてもよい。
【００１６】
このようにして、グリップ筐体２の空気室１０が弾力性のある複数の粒子１３で埋められ、複数の粒子１３同士と、粒子１３とグリップ筐体２とが隙間を設けながら機械的に結合していることにより、グリップ筐体２に振動や衝撃が加えられた場合に生ずる不快な雑音の発生を防止することができる。また、空気室１０に複数の粒子１３同士と、粒子１３とグリップ筐体２との間に隙間を設けていることから、振動を防止することによってマイクロホンユニット３の周波数特性を劣化させることのないマイクロホン１を得ることができる。
【００１７】
マイクロホンユニット３は、円筒状かつその前端部が王冠状をしていて、その後端部が連結部１２内に気密的に差し込まれた状態で、円筒状の連結部１２を介してグリップ筐体２の一端側に、圧入、ねじ込み、あるいは接着など適宜の方法で取り付けられている。グリップ筐体２のマイクロホンユニット３側の先端には、マイクロホンユニット３を保護するために、内部が空洞かつ下部が開放した球状のヘッドケース９が被せられ、適宜の方法でグリップ筐体２に固着されている。グリップ筐体２は、コネクタ４側に向かって径が順次小さくなっている。
【００１８】
コネクタ４としては適宜のものを選択でき、例えば、ＥＩＡＪ  ＲＣ−５２３６「音響機器用ラッチロック式丸型コネクタ」で規定されるコネクタ、すなわち電気絶縁体からなる円柱状のコネクタ基台に接地用の１番ピン、信号のホット側として用いられる２番ピン，信号のコールド側として用いられる３番ピンの３本のピンが貫設されている３ピンタイプのコネクタ４を用いることができる。
【００１９】
コネクタ基台の側面には雄ねじ７が備えられ、コネクタ取り付け部２ｂには、雄ねじ７が入り込んでいる孔２ｃが設けられている。雄ねじ７を巻き戻すことにより、雄ねじ７の肩がグリップ筐体２の内周面を押圧し、この雄ねじ７の肩とグリップ筐体２の内周面との押圧部の反対側において、コネクタ基台がグリップ筐体２の内周面に押圧され、コネクタ４がコネクタ取り付け部２ｂに固定される。孔２ｃより図示ないドライバーを差し込んで雄ねじ７を巻き戻してコネクタ基台からコネクタ接続部２ｂの内面に当接させることにより、グリップ筐体２と接地用端子板１６とを電気的に接続する。なお、コネクタ４の固定方法としては、上述のものに限らず適宜の構造を選択できる。本実施例におけるマイクロホンユニット３は、ダイナミック型（動電型）であることから、その内部にはボイスコイルが取り付けられた振動板と磁気ギャップを有する磁気発生回路とが含まれており、その磁気ギャップ内にボイスコイルが振動板を介して振動可能に配置されている。
【００２０】
コネクタ４をグリップ筐体２に取り付ける際には、コネクタ４をコネクタ取り付け部２ｂに挿入する。さらに雄ねじ７を巻き戻すことにより、雄ねじ７の肩がコネクタ取り付け部２ｂを押圧し、コネクタ４がコネクタ取り付け部２ｂに固定する。さらにコネクタ４の内側面とグリップ筐体２の内周面を封止材６で密封する。
【００２１】
以下、本発明に係るマイクロホン１の製造方法の実施例について説明する。本発明に係るマイクロホン１の製造方法は、複数の粒子１３同士と、粒子１３とグリップ筐体２とを、相互間に隙間を設けながら機械的に結合させる方法に特徴があり、その他のマイクロホンを製造する工程は適宜の設計思想をもって選択することができる。
【００２２】
本発明に係るマイクロホン１の製造方法は、複数の粒子１３が、グリップ筐体２に詰められる工程と、図示しない溶剤をグリップ筐体２に供給して、複数の粒子１３の表面同士および、粒子１３とグリップ筐体２とを機械的に結合する工程と、溶剤を乾燥する工程を含む。
【００２３】
複数の粒子１３がグリップ筐体２に詰められる工程では、あらかじめマイクロホンユニット３とコネクタ４とをリード線８にて接続したのち、複数の粒子１３をグリップ筐体２の空気室１０に供給する。複数の粒子１３の量は、粒子１３が空気室１０からこぼれ出ない程度の量とする。
【００２４】
次の工程において、図示しない溶剤をグリップ筐体２に供給することによって有機材料からなる複数の粒子１３の表面を融解させ、粒子１３同士および粒子１３とグリップ筐体２の内周面とを融着させる。溶剤としては、いわゆる有機溶剤のトルエン、キシレンなどを用いることができ、近年の環境や人体への配慮からその代替となる適宜の溶剤を用いることも可能である。
【００２５】
さらに次の工程において、乾燥室など適宜の方法で上述の溶剤を乾燥させる。なお、実際の組立作業では、マイクロホンの最終組み立て工程で、マイクロホンユニット２０を保護するための例えばメッシュメタルからなるヘッドケース９が被せられる。また、複数の粒子１３は、高分子制振材料を選択することができ、絶縁体を選択することもできる。
【産業上の利用可能性】
【００２６】
以上、本発明の実施形態の一例について説明したが、本発明はこの実施例の構成に限られるものではなく、特許請求の範囲に記載した技術思想を逸脱しない範囲で設計変更することができる。例えば、本発明の上記実施例にかかるマイクロホン１の構成は、ダイナミックマイクロホンに限らず、いわゆるコンデンサマイクロホンの防振のために利用してもよい。
【符号の説明】
【００２７】
１  マイクロホン
２  グリップ筐体
３  マイクロホンユニット
４  コネクタ
１０  空気室
１３  複数の粒子
【図１】
0005517157.tif 000002
【図２】
0005517157.tif 000003
【図３】
0005517157.tif 000004